(57)【要約】【課題】検査対象リレーの正確な良否判定であり、かつ劣化傾向管理を可能にしたリレー点検装置を提供すること。【解決手段】検査対象のリレーを装着するリレー装着部４と、リレー装着部４に装着されたリレーＲＬに電圧を供給する電源部５と、リレーの接点の抵抗を測定する接点抵抗測定部９と、検査対象のリレーと同種のリレーについての検査項目ごとの基準値が格納されている基準値データベース１７と、接点抵抗測定部９における測定値を記憶する記憶部およびこの記憶部で記憶された測定値と基準値データベース１７における基準値とを比較して当該リレーの良否を判定する判定部を有する制御手段７とを備える。【選択図】図１
2010080094.tif 000002
【特許請求の範囲】
【請求項１】
検査対象のリレーを装着するリレー装着部と、
前記リレー装着部に装着されたリレーに電圧を供給する電源部と、
前記リレーの接点の抵抗を測定する接点抵抗測定部と、
検査対象のリレーと同種のリレーについての検査項目ごとの基準値が格納されている基準値データベースと、
前記接点抵抗測定部における測定値を記憶する記憶部および該記憶部で記憶された測定値と前記基準値データベースにおける基準値とを比較して当該リレーの良否を判定する判定部を有する制御手段と、
前記制御手段により判定されたリレーの良否を表示する表示部と、を備えたことを特徴とするリレー点検装置。
【請求項２】
前記基準値データベースに記憶された基準値は、検査対象のリレーの接点抵抗値であることを特徴とする請求項１記載のリレー点検装置。
【請求項３】
前記リレーの接点の動作を検出する動作検出部を有し、前記制御手段は、前記電源部の電圧を変化させるとともに、前記動作検出部からの検出信号に基づいて前記接点の最小動作電圧を確認することを特徴とする請求項１又は２記載のリレー点検装置。
【請求項４】
前記記憶部は、過去に測定された接点抵抗測定値および最小動作電圧を時系列で記憶し、前記制御部は、これら過去の接点抵抗測定値および最小動作電圧と今回測定した接点抵抗測定値および最小動作電圧とを時系列で前記表示部に表示させることを特徴とする請求項１乃至３のいずれかに記載のリレー点検装置。
【請求項５】
前記表示部は、ディスプレイ表示手段および印字媒体への印字手段を備えていることを特徴とする請求項１乃至４のいずれかに記載のリレー点検装置。
【発明の詳細な説明】
【技術分野】
【０００１】
本発明は、例えば電力機器に使用される補助リレーの動作特性を測定するのに利用されるリレー点検装置に関する。
【背景技術】
【０００２】
従来、制御盤から抜脱した継電器（リレー）を装着する継電器端子台に発光ダイオードを備え、この発光ダイオードの点滅により継電器の良否を判定する継電器検査装置がある（特許文献１）。
【０００３】
また、被測定対象の継電器に負荷電流を供給して測定条件を与え、その後負荷電流に代えて、被測定対象に精密な電源から測定電流の供給処理をするようにした継電器の接触抵抗の測定装置がある（特許文献２）。
【０００４】
【特許文献１】特開２００３−３０８７７１号公報
【特許文献２】特開平５−２５６８８６号公報
【発明の開示】
【発明が解決しようとする課題】
【０００５】
一般に、電力機器等の補助リレーの検査業務は、検査対象リレーを実際に動作させ、その開閉接点の抵抗測定を行うことによりそのリレーの良否判定を行っている。すなわち、特許文献１に記載されている継電器検査装置では接点の通電の良否のみの判定であり、特許文献２に記載されている接触抵抗の測定装置では接点の接触抵抗の測定のみの判定である。しかしながら、リレーの良否について正確な判定を下すためには、接点抵抗を測定するのみでは、測定値の読み取りミスや誤記入等が生じた場合、判定結果に影響が生じ、正確な良否の判定できなくなるとともに、基準データとの比較がないため、劣化傾向管理が困難であるという問題があった。
【０００６】
本発明の目的は、検査対象リレーの正確な良否判定が可能であり、かつ劣化傾向管理を可能にしたリレー点検装置を提供するにある。
【課題を解決するための手段】
【０００７】
本発明者は、検査対象リレーに電圧を供給して実際に動作させ、その開閉接点の抵抗値の測定を行い、この測定値とデータベースに記憶されている当該リレーの基準値とを比較することにより、リレーの良否を正確に判定し得ることを見出し、これに基づいて、以下のような新たなリレー点検装置を発明するに至った。
【０００８】
（１）  検査対象のリレーを装着するリレー装着部と、前記リレー装着部に装着されたリレーに電圧を供給する電源部と、前記リレーの接点の抵抗を測定する接点抵抗測定部と、検査対象のリレーと同種のリレーについての検査項目ごとの基準値が格納されている基準値データベースと、前記接点抵抗測定部における測定値を記憶する記憶部および該記憶部で記憶された測定値と前記基準値データベースにおける基準値とを比較して当該リレーの良否を判定する判定部を有する制御手段と、前記制御手段により判定されたリレーの良否を表示する表示部と、を備えたことを特徴とするリレー点検装置。
【０００９】
（１）記載のリレー点検装置によれば、接点抵抗測定部における測定値と基準値データベースにおける基準値とを比較して当該リレーの良否を判定してこれを表示するようにしたことにより、当該リレーの劣化傾向が一目で分かり、劣化傾向管理が可能となる。
（２）  前記基準値データベースに記憶された基準値は、検査対象のリレーの接点抵抗値であることを特徴とする（１）記載のリレー点検装置。
【００１０】
（２）記載のリレー点検装置によれば、検査対象のリレーの接点抵抗の劣化傾向が一目で分かり、劣化傾向管理が可能となる。
【００１１】
（３）  前記リレーの接点の動作を検出する動作検出部を有し、前記制御手段は、前記電源部の電圧を変化させるとともに、前記動作検出部からの検出信号に基づいて前記接点の最小動作電圧を確認することを特徴とする（１）又は（２）記載のリレー点検装置。
【００１２】
（３）記載のリレー点検装置によれば、リレーに供給する電源部の電圧を変化させながらリレー接点の動作を動作検出部で検出し、接点が動作したときの最小動作電圧を確認することができ、検査対象リレーごとの劣化傾向管理が可能となる。
【００１３】
（４）  前記記憶部は、過去に測定された接点抵抗測定値および最小動作電圧を時系列で記憶し、前記制御部は、これら過去の接点抵抗測定値および最小動作電圧と今回測定した接点抵抗測定値および最小動作電圧とを時系列で前記表示部に表示させることを特徴とする（１）乃至（３）のいずれかに記載のリレー点検装置。
【００１４】
（４）記載のリレー点検装置によれば、過去数回の接点抵抗測定値および最小動作電圧と、今回の接点抵抗測定値および最小動作電圧を記憶部に記憶しておき、これらを時系列で表示部に表示することにより、測定回ごとに劣化傾向（接点抵抗および最小動作電圧の増加傾向）を示しているか否かを確認することができ、さらに明確な劣化傾向管理が可能となる。
【００１５】
（５）  前記表示部は、ディスプレイ表示手段および印字媒体への印字手段を備えていることを特徴とする（１）１乃至（４）のいずれかに記載のリレー点検装置。
【００１６】
（５）記載のリレー点検装置によれば、測定結果がディスプレイのほか紙などの印字媒体でも印字表示することができる。
【発明の効果】
【００１７】
本発明によれば、検査対象リレーの正確な良否判定を可能にするとともに、劣化傾向管理が可能となる。
【発明を実施するための最良の形態】
【００１８】
以下、本発明の実施形態について図面を参照して説明する。図１は、本発明の実施形態によるリレー点検装置のブロック図である。
【００１９】
図１に示すように、リレー点検装置１０は、リレー操作部１と、リレー検査部２と、検査装置制御部３とを備えている。リレー操作部１は、検査対象のリレーＲＬ（図２参照）を装着するリレー装着部（ソケット部）４と、リレー用電源部５を備えている。
【００２０】
リレー検査部２は、リレーの動作を検出する動作検出部６およびリレーの接点抵抗を測定する接点抵抗測定部９を備えている。
【００２１】
検査装置制御部３は、制御部７、基準抵抗値データベース１７および表示部８を備えている。基準抵抗値データベース１７には、検査対象となる全ての種類のリレーについての接点抵抗値、最小動作電圧その他の検査項目ごとの基準データが格納されている。
【００２２】
制御部７は、記憶部７ａおよび判定部７ｂを備えている。記憶部７ａは、動作検出部６で検出した最小動作電圧、および接点抵抗測定部９で測定した接点抵抗測定値のそれぞれを過去（例えば過去５回）と今回にわたり時系列で記憶するものである。判定部７ｂは、記憶部７ａに記憶された今回の接点抵抗測定値および最小動作電圧と基準値データベース１７における基準値とを比較して当該リレーの良否を判定するものである。制御部７は、判定部７ｂで判定した良否判定結果を表示部８に表示させるとともに、記憶部７ａに記憶されている過去の接点抵抗測定値および今回の接点抵抗測定値を時系列で表示部８に表示させるようになっている。さらに、制御部７は、リレー用電源部５を制御してリレーに印加する電圧を可変制御するとともに、動作検出部６の検出信号を受けて表示部８に当該リレーの接点の最小動作電圧を表示させる制御を行う機能をも兼ね備えている。また、制御部７は、記憶部７ａに記憶されている過去の最小動作電圧測定値および今回の最小動作電圧測定値も時系列で表示部８に表示させるようになっている。表示部８は、図示のようなディスプレイのほか、印字出力により紙に印刷できる機能も備えている。
【００２３】
上述のように、過去数回の接点抵抗測定値および最小動作電圧と、今回の接点抵抗測定値および最小動作電圧を記憶部７ａに記憶しておき、これらを時系列で表示部８に表示することにより、測定回ごとに劣化傾向（接点抵抗および最小動作電圧の増加傾向）を示しているか否かを確認することができる。この劣化傾向を見て、製品寿命に近づいていると判定すれば、今回の基準値との比較で「良」と判定したとしても、次回の測定を待つことなくリレーを交換するか否かの対処を行うことができる。なお、リレー交換を行った場合は、交換前の検査対象リレーの過去測定記憶データは消去する。
【００２４】
図１は、本発明の実施形態によるリレー点検装置の斜視図である。本実施形態のリレー点検装置は、装置本体１１と、表示部８と、操作盤１４とを備え、装置本体１０の前面に、図３に示すようなソケット端子１６Ｍ、１６Ｂ、ソケット端子１６Ｌを有するリレー装着部（ソケット部）４が設けられ、このソケット端子を介してリレー装着部４に検査対象のリレーＲＬが装着されるようになっている。装置本体内１０には上記したリレー検査部２、電源部５、制御部７が内蔵されている。
【００２５】
図３は、本発明のリレー点検装置の実施形態を示す回路図であって、リレーを装着していない状態示している。
【００２６】
図３において、リレーＲＬは、リレーコイルＬ、メーク接点Ｍおよびブレーク接点Ｂを備え、それぞれにリレーコイル端子１５Ｌ、メーク接点端子１５Ｍ、ブレーク接点端子１５Ｂが設けられている。リレー点検装置１０には、接点通電用電源１２およびリレー用電源５が設けられている。接点通電用電源１２は、動作検出部６および接点抵抗測定部９を介して上記メーク接点端子１５Ｍ、ブレーク接点端子１５Ｂに対応するソケット端子１６Ｍ、１６Ｂに接続され、リレー用電源５はリレーコイル端子１５Ｌに対応するソケット端子１６Ｌに接続されている。制御部７はリレー用電源７およびには表示部８に接続されるとともに、メーンスイッチ１８を介して動作検出部６および接点抵抗測定部９に接続されている。
【００２７】
図４は、リレーＲＬを装着した状態を示している。図２に示すように、装着部４に検査用のリレーＲＬを装着すると、リレーコイル端子１５Ｌ、メーク接点端子１５Ｍおよびブレーク接点端子１５Ｂのそれぞれが、対応するソケット端子１６Ｌ、１６Ｍおよび１６Ｂに接続される。
【００２８】
リレーＲＬを装着後、リレー用電源５のメーンスイッチ１８をオンにし、接点抵抗測定部９により閉じたメーク接点Ｍの接点抵抗を測定する。制御部７は、測定された接点抵抗値と、基準値データベース１７に記憶されている基準値とを時系列で比較し、基準値と合致すれば良品、基準値から外れれば不良品と判定する。測定された接点抵抗値および良否判定結果は表示部８に表示され、あるいは、印字出力により紙に印刷される。
【００２９】
また、以下のようにしてメーク接点Ｍの最小動作電圧も測定することができる。最初、リレー用電源５の電圧を０に設定しておき、リレー用電源５のメーンスイッチ１８をオンにする。この状態で操作盤９により制御部７を操作し、リレー用電源５の電圧を徐々に高くしていく。このときメーク接点Ｍの閉じる動作（同時にブレーク接点Ｂが開く）を動作検出部６により検出している。メーク接点Ｍが最初に動作（オン）したときの電圧、すなわち、メーク接点Ｍの最小動作電圧が動作検出部６により検出されると、これを表示部８に表示するようになっている。
【００３０】
上記実施形態では、検査対象リレーが１個の場合について説明したが、装着部４を複数個設け、リレー用電源５を検査対象リレーごとに切換えていくようにすることにより、複数のリレーを検査することも可能である。また、上記実施形態では、接点抵抗値に基づく良否判定の例を説明したが、これに限定されず、その他の検査項目についても同様にして実施することができる。
【図面の簡単な説明】
【００３１】
【図１】本発明の実施形態によるリレー点検装置のブロック図である。
【図２】本発明の実施形態によるリレー点検装置の斜視図である。
【図３】本発明の実施形態によるリレー点検装置のリレー装着前の回路図である。
【図４】本発明の実施形態によるリレー点検装置のリレー装着後の回路図である。
【符号の説明】
【００３２】
４  リレー装着部
５  電源部
６  動作検出部
７  制御部
７ａ  記憶部
７ｂ  判定部
８  表示部
９  接点抵抗測定部
１７  基準値データベース
【図１】
2010080094.tif 000003
【図２】
2010080094.tif 000004
【図３】
2010080094.tif 000005
【図４】
2010080094.tif 000006